(57)【要約】【課題】  浮上がり防止部材を、比較的に強度を有しながら、安価で製作可能なものとし、マンホールに安定して確実に固定し、マンホール内からの設置が容易な浮上がり防止付マンホールを提供する。【解決手段】  マンホール外周面から放射方向に突出する複数本の浮上がり防止部材２を備えた浮上がり防止付マンホールにおいて、浮上がり防止部材が、合成樹脂製のスリーブ３と、該スリーブ内に内蔵される補強材入りコンクリート４と、マンホール内壁５にアンカーボルト６により固定された固定フランジ７とにより構成され、前記スリーブ内に補強材１０が配置され固定フランジにスリーブが螺着され、該固定フランジの中心部に生コンクリート注入口１５が形成され、該スリーブの外周とマンホール壁との間に水膨張パッキン９が接着剤で固定された浮上がり防止付マンホール。【選択図】        図８
2010138663.tif 000002
【特許請求の範囲】
【請求項１】
マンホール外周面から放射方向に突出する複数本の浮上がり防止部材を備えた浮上がり防止付マンホールにおいて、浮上がり防止部材を、合成樹脂製のスリーブと、該スリーブ内に内蔵される補強材入りコンクリートと、マンホール内壁にアンカーボルトにより固定された固定フランジとにより構成し、前記スリーブ内に補強材を配置して固定フランジにスリーブを螺着し、該固定フランジの中心部に生コンクリート注入口を形成し、該スリーブの外周とマンホール壁との間に水膨張パッキンを接着剤で固定したことを特徴とする浮上がり防止付マンホール。
【請求項２】
前記補強材を固定スぺーサーで固定した鉄筋で構成したことを特徴とする請求項１に記載の浮上がり防止付マンホール。
【請求項３】
足掛具の芯材を該足掛具の脚部から延長させ、該延長部を前記補強材としたことを特徴とする請求項１に記載の浮上がり防止付マンホール。
【発明の詳細な説明】
【技術分野】
【０００１】
本発明は、マンホール外周面から放射方向に突出する複数本の浮上がり防止部材を備えた浮上がり防止付マンホールに関するものである。
【背景技術】
【０００２】
従来，浮上がり防止付マンホールとして、マンホール壁の複数箇所の外周面に固定金具を設置し、該固定金具にマンホールの外壁から放射方向に突出させる複数本の鋼製の浮上がり防止部材を取り付けたものがある（例えば特許文献１参照。）。
【０００３】
【特許文献１】特開２００７−１３２０７２号公報
【発明の開示】
【発明が解決しようとする課題】
【０００４】
ところで、前記従来技術の浮上がり防止付マンホールでは、浮上がり防止部材が形鋼材を使用していることから高価なものであると共に浮上がり防止部材がマンホール壁の外周面の固定金具に取り付けられていることから浮上がり防止部材の固定が不安定になる虞がある。
【０００５】
本発明は、従来の技術の有するこのような問題点に鑑みてなされたものであり、その目的とするところは、浮上がり防止部材を、比較的に強度を有しながら、安価で製作可能なものとし、マンホールに安定して確実に固定し、マンホール内からの設置が容易な浮上がり防止付マンホールを提供しようとするものである。
【課題を解決するための手段】
【０００６】
上記目的を達成するために、本発明における浮上がり防止付マンホールは、浮上がり防止部材を、合成樹脂製のスリーブと、該スリーブ内に内蔵される補強材入りコンクリートと、マンホール内壁にアンカーボルトにより固定された固定フランジとにより構成し、前記スリーブ内に補強材を配置して固定フランジにスリーブを螺着し、該固定フランジの中心部に生コンクリート注入口を形成し、該スリーブの外周とマンホール壁との間に水膨張パッキンを接着剤で固定したものである。
【０００７】
また、前記補強材を固定スぺーサーで固定した鉄筋で構成したものである。
【０００８】
また、足掛具の芯材を該足掛具の脚部から延長させ、該延長部を前記補強材としたものである。
【発明の効果】
【０００９】
本発明の請求項１においては、浮上がり防止部材を比較的に強度を有しながら、安価で製作可能なものとし、マンホールに安定して確実に固定し、マンホール内からの設置が容易であると共に防水効果も有する浮上がり防止付マンホールとなる。
【００１０】
また、本発明の請求項２においては、前記請求項１の効果に加えて、浮上がり防止部材がより強度なものとなる浮上がり防止付マンホールとなる。
【００１１】
また、本発明の請求項３においては、前記請求項１の効果に加えて浮上がり防止部材がより容易に設置できると共に浮上がり防止部材設置後のマンホール内壁の見栄えを良くする浮上がり防止付マンホールとなる。
【発明を実施するための最良の形態】
【００１２】
マンホール外周面から放射方向に突出する複数本の浮上がり防止部材を備えた浮上がり防止付マンホールにおいて、浮上がり防止部材を、合成樹脂製のスリーブと、該スリーブ内に内蔵される補強材入りコンクリートと、マンホール内壁にアンカーボルトにより固定された固定フランジとにより構成し、前記スリーブ内に補強材を配置して固定フランジにスリーブを螺着し、該固定フランジの中心部に生コンクリート注入口を形成し、該スリーブの外周とマンホール壁との間に水膨張パッキンを接着剤で固定した浮上がり防止付マンホールである。
【００１３】
足掛具の芯材を該足掛具の脚部から延長させ、該延長部を前記補強材とした浮上がり防止付マンホールである。
【実施例１】
【００１４】
図１ないし図８は本発明の実施例に関するものであり、図１は浮上がり防止付マンホールの正面断面説明図、図２は浮上がり防止部材をマンホールに取り付けた平面説明図、図３はスリーブの正面図、図４は固定スぺーサーに鉄筋を挿着した正面図、図５は固定スぺーサーの側面図、図６は固定フランジの平面図、図７は固定フランジの正面図、図８は浮上がり防止部材をマンホールに取り付ける拡大断面説明図である。
【００１５】
図において、１はマンホールであり、該マンホール１の外周面から放射方向に複数本の浮上がり防止部材２，２，…が突出されている。
なお、浮上がり防止部材２の突出寸法は、マンホール１から約４００ｍｍから６００ｍｍであり、コスト，強度等からみて好適な寸法であり、長い方が浮上防止効果は向上する。
【００１６】
前記浮上がり防止部材２は図１，図２，図８に示すような、スリーブ３と、該スリーブ３内に内蔵される補強材入りコンクリート４と、マンホール内壁５にアンカーボルト６により固定される固定フランジ７とにより構成されている。
【００１７】
前記スリーブ３は図３に示すように、一端側に開口部を有し、他端側が有底中空円柱体であり、例えばポリプロピレン，ポリエチレン，ナイロン等の合成樹脂製である。そして、スリーブ３の外周面全域にはねじ８が形成され、スリーブ３の開口部外周近傍には水膨張パッキン９が挿着されている。
【００１８】
前記補強材入りコンクリート４は後述する手法により、スリーブ３内全域に内蔵され、浮上がり防止部材２を強固なものにする。
なお、１０は例えば鉄材，鋼材，強化プラスチック等のいずれかからなる補強材であり、この補強材１０はスリーブ３内に配置させて、生コンクリート１１をスリーブ３内に注入することにより補強材入りコンクリート４を構成するものである。
【００１９】
前記固定フランジ７は図６，図７に示すように、マンホール内壁５に当接される正面視円形状の固定部１２と前記スリーブ３の開口部外周側が螺着される接合部１３とが合成樹脂により一体成形により構成されるものである。
そして、固定部１２の外周近傍には前記マンホール内壁５に固定フランジ７を固定するためのアンカーボルト６を挿入する複数の孔１４，１４，…が穿設され、固定部１２の中心部には前記生コンクリート１１をスリーブ３内に注入するための生コンクリート注入口１５が穿設されている。
また、接合部１３の内周全域には前記スリーブ３の外周面に形成されたねじ８が螺着されるねじ孔１６が形成されている。
【００２０】
以上のような構成からなる浮上がり防止付マンホールは、新設のマンホール，既存のマンホールを問わずに浮上がり防止部材２の設置が可能であるが、特に既存のマンホールにおいてマンホール内で簡単，容易に設置できるものである。
【００２１】
先ず、図５，図８に示すような、予め例えば丸棒状の補強材１０を複数の固定スペーサー１７を使用してスリーブ３内の中心近傍に配置し、固定フランジ７の接合部１３にスリーブ３の開口部側を螺着させて固定フランジ７とスリーブ３とを接合させる。
【００２２】
そして、マンホール１の外周面から放射方向に浮上がり防止部材２を突出させたい箇所でマンホール内壁５に接合部１３の直径の大きさに対応した孔１８を穿設し、さらにマンホール１の外周の土にスリーブ３の直径の大きさに対応し、且つ略スリーブ３の長さに対応した孔１９を穿設する。
【００２３】
次に、予め固定フランジ７とスリーブ３とを接合させたものをマンホール１内に搬入し、前記孔１８の内周に接着剤を塗布して、スリーブ３を孔１９に配置し、接合部１３を孔１８に装着させ、固定部１２をマンホール内壁５に当接させる。さらに固定部１２の複数の孔１４，１４，…にアンカーボルト６，６，…を挿入させて固定フランジ７はマンホール内壁５に安定した確実な固定をすることができる。またさらに、孔１８の内周に接着剤を塗布したことにより、スリーブ３の開口部外周近傍に挿着された水膨張パッキン９がスリーブ３の外周とマンホール壁間に確実に固定されて防水効果が発揮される。この際、スリーブ３内にまだコンクリートが注入されていないので、軽量で簡単に固定フランジ７とスリーブ３とを接合させたものを孔１９に設置することができる。
【００２４】
そして、前記固定フランジ７の固定部１２の中心部の生コンクリート注入口１５から生コンクリート１１をスリーブ３内に注入することにより浮上がり防止部材２を容易に完成させることができる。
このように、合成樹脂製のスリーブ３内に補強材入りコンクリート４を納めたので、浮上がり防止部材２の外周は錆びることがないと共に浮上がり防止部材２は比較的に強度を有しながら、安価で製作可能なものとなる。
【実施例２】
【００２５】
この実施例は上記実施例における補強材１０として固定スペーサ１７付き鉄筋を特に採用したものである。
【００２６】
図５に示すように、固定スペーサ１７は合成樹脂製の側面視円形状のであり、その中心部及び外周近傍には複数の鉄筋１０，１０，…を挿通する孔２０，２０，…が形成され、各孔２０は格子状のリブ２１，２１，…で接続されている。
【００２７】
また、図４及び図８に示すように、固定スペーサ１７を間隔をあけて複数個（例えば三個）配置し、該固定スペーサ１７の孔２０，２０，…に鉄筋１０，１０，…を挿通させ鉄筋１０，１０，…を固定させる。
そして、固定された鉄筋をスリーブ３内に配置し、上述の手法と同様に、固定フランジ７とスリーブ３とを接合させたものをマンホール１内に搬入し、前記孔１８の内周に接着剤を塗布して、スリーブ３を孔１９に配置し、接合部１３を孔１８に装着させ、固定部１２をマンホール内壁５に当接させる。さらに固定部１２の複数の孔１４，１４，…にアンカーボルト６，６，…挿入させて固定フランジ７はマンホール内壁５に安定した確実な固定をすることができ、前記固定フランジ７の固定部１２の中心部の生コンクリート注入口１５から生コンクリート１１をスリーブ３内に注入することにより浮上がり防止部材２を容易に完成させることができる。
【００２８】
この浮上がり防止部材２は、鉄筋１０，１０，…がスリーブ３内の全域を補強することからより強度のある補強材入りコンクリート４となり、浮上がり防止部材２としての効果も向上させる。
【実施例３】
【００２９】
この実施例は上記実施例における補強材１０として芯材を延長させた足掛具の延長部を特に採用したものである。
図９ないし図１２は本発明の実施例に関するものであり、図９は浮上がり防止付マンホールの正面断面説明図、図１０は浮上がり防止部材をマンホールに取り付けた平面説明図、図１１は芯材を延長させた足掛具の拡大平面図、図１２は浮上がり防止部材をマンホールに取り付ける拡大断面説明図である。
【００３０】
図において、３１はマンホールであり、該マンホール３１の外周面から放射方向に突出する二本の平行部材からなる浮上がり防止部材３２，３２が、上下複数段にわたってそれぞれ三方向に配置されている。
なお、浮上がり防止部材３２の突出寸法は、マンホール３１から約３００ｍｍから６００ｍｍであり、二本が組みとなっており、コスト，強度等からみて好適な寸法であり、長い方が浮上防止効果は向上する。
【００３１】
前記浮上がり防止部材３２は図９，図１２に示すような、スリーブ３３と、該スリーブ３３内に内蔵される補強材入りコンクリート３４と、マンホール内壁３５にアンカーボルト３６により固定される固定フランジ３７と、補強材４０となる脚部から延長される芯材５０を設けた足掛具３０とにより構成されている。
【００３２】
前記スリーブ３３は一端側に開口部を有し、他端側が有底中空円柱体であり、該スリーブ３３の他端側には円錐体５４が尖端となるように設けられ、該円錐体５４は例えばポリプロピレン，ポリエチレン，ナイロン等の合成樹脂でスリーブ３３と一体成形されている。
また、スリーブ３３の外周面には多数のねじ３８が形成され、スリーブ３３の外周中間部近傍には水膨張パッキン３９が挿着されている。
【００３３】
前記補強材入りコンクリート３４は実施例１と同様に、スリーブ３３内全域に内蔵され、浮上がり防止部材３２を強固なものにする。
そして、補強材４０としては足掛具３０の芯材５０が利用され、この芯材５０は例えば鉄材，鋼材，強化プラスチック等が使用可能で、スリーブ３３内に配置して、生コンクリート４１をスリーブ３３内に注入して補強材入りコンクリート３４を構成するものである。
【００３４】
前記固定フランジ３７はマンホール内壁３５に当接される正面視円形状の固定部４２と前記スリーブ３３の開口部外周側が螺着される接合部４３とが合成樹脂により一体成形により構成されるものである。
そして、固定部４２の外周近傍には前記マンホール内壁３５に固定フランジ３７を固定するためのアンカーボルト３６を挿入する複数の孔４４，４４，…が穿設され、固定部４２の中心部には前記生コンクリート４１をスリーブ４３内に注入し前記足掛具３０の脚部４９から延長させる芯材からなる補強材４０を挿入するための注挿入口４５が穿設されている。
また、接合部４３の内周全域には前記スリーブ３３の外周面に形成されたねじ３８が螺着されるねじ孔４６が形成されている。
【００３５】
前記足掛具３０は図１１に示すように、足踏部４７とその両側に位置する側部４８，４８と脚部４９，４９とで構成され、これら足踏部４７と側部４８と脚部４９とは平面視コ字状をした芯材５０にプロピレン等の合成樹脂５１を被覆してなり、脚部４９，４９から芯材５０が延長され、該延長部が補強材４０となっている。
また、側部４８，４８と脚部４９，４９の境界部近傍には自在ワッシャー５２，５２が設けられている。
【００３６】
以上のような構成からなる浮上がり防止付マンホールも、新設のマンホール，既存のマンホールを問わずに浮上がり防止部材３２の設置が可能であるが、特に既存のマンホールにおいてマンホール内で簡単，容易に設置できるものである。
【００３７】
先ず、マンホール３１の外周面から放射方向に浮上がり防止部材３２を突出させたい箇所でマンホール内壁３５に固定フランジ３７の接合部４３の直径の大きさに対応した孔５３を足掛具３０の脚部４９，４９の間隔で平行に二つ穿設する。
そして、各孔５３に対して用意したドリル（図示せず。）にスリーブ３３の開口部を接続し、ドリルの回転力とスリーブ３３の円錐体５４及び外周面に形成されたねじ３８により、マンホール３１の外周の土をかき出し、スリーブ３３の直径の大きさに対応し、且つ略スリーブ３３の長さに対応した孔５５が容易に穿設される。
【００３８】
次に、ドリルからスリーブ３３を取り外し、固定フランジ３７の接合部４３にスリーブ３３の開口側を螺着させて固定フランジ３７とスリーブ３３とを接合させる。そして、マンホール内壁３５に穿設した孔５３の内周に接着剤を塗布して、固定フランジ３７とスリーブ３３とを接合させたものを挿入し、スリーブ３３を孔５５に配置し、接合部４３を孔５３に装着させ、固定部４２をマンホール内壁３５に当接させる。さらに固定部４２の複数の孔４４，４４，…にアンカーボルト３６，３６，…を挿入させて固定フランジ３７はマンホール内壁３５に安定した確実な固定をすることができる。またさらに、孔５３の内周に接着剤を塗布したことにより、スリーブ３３の開口部外周近傍に挿着された水膨張パッキン３９がスリーブ３３の外周とマンホール壁間に確実に固定されて防水効果が発揮される。
なお、固定フランジ３７の接合部４３に水膨張パッキン５６を装着させた場合には、より防水効果は発揮されるものとなる。
【００３９】
そして、前記固定フランジ３７の固定部４２の中心部の注挿入口４５から生コンクリート４１をスリーブ３３内に注入し、次いで足掛具３０の芯材５０の延長部である補強材４０を注挿入口４５から挿入する。
このように足掛具３０の芯材５０の延長部がスリーブ３３内に挿入されて生コンクリート４１の補強材４０となり、足掛具３０の側部４８と脚部４９の境界部近傍に設けられた自在ワッシャー５２が固定フランジ３７の固定部４２に当接され、浮上がり防止部材３２は容易に完成させることができる。また、自在ワッシャー５２が固定部４２に当接させることにより注挿入口４５を隠すことができるので、浮上がり防止部材３２の設置後のマンホール内壁３５は見栄えの良いものとなる。
【００４０】
また、足掛具３０を使用することで、二本の浮上がり防止部材３２を容易に設置できると共にマンホール３１内に設置されている通常の足掛具５７の補助として足乗せ，手すり等の役割をすることも可能となる。
なお、本実施例では足掛具３０の脚部４９をマンホール内壁３５に横に平行に装着したがマンホールに応じて縦，斜め等に装着することも可能である。
【図面の簡単な説明】
【００４１】
【図１】本発明に係る浮上がり防止付マンホールの正面断面説明図である。
【図２】浮上がり防止部材をマンホールに取り付けた平面説明図である。
【図３】スリーブの正面図である。
【図４】固定スぺーサーに鉄筋を挿着した正面図である。
【図５】固定スぺーサーの側面図である。
【図６】固定フランジの平面図である。
【図７】固定フランジの正面図である。
【図８】浮上がり防止部材をマンホールに取り付ける拡大断面説明図である。
【図９】本発明の他の実施例に係る浮上がり防止付マンホールの正面断面説明図である。
【図１０】他の実施例の浮上がり防止部材をマンホールに取り付けた平面説明図である。
【図１１】芯材を延長させた足掛具の拡大平面図である。
【図１２】他の実施例の浮上がり防止部材をマンホールに取り付ける拡大断面説明図である。
【符号の説明】
【００４２】
１，３１                  マンホール
２，３２                  浮上がり防止部材
３，３３                  スリーブ
４，３４                  補強材入りコンクリート
５，３５                  マンホール内壁
６，３６                  アンカーボルト
７，３７                  固定フランジ
９，３９                  水膨張パッキン
１０，４０                補強材
１１，４１                生コンクリート
１５                      生コンクリート注入口
１７                      固定スぺーサー
３０                      足掛具
４９                      脚部
５０                      芯材
【図１】
2010138663.tif 000003
【図２】
2010138663.tif 000004
【図３】
2010138663.tif 000005
【図４】
2010138663.tif 000006
【図５】
2010138663.tif 000007
【図６】
2010138663.tif 000008
【図７】
2010138663.tif 000009
【図８】
2010138663.tif 000010
【図９】
2010138663.tif 000011
【図１０】
2010138663.tif 000012
【図１１】
2010138663.tif 000013
【図１２】
2010138663.tif 000014